(57)【特許請求の範囲】
【請求項１】
天然ゴム、シス１，４−ポリイソプレンゴム、スチレン−ブタジエンコポリマーゴム、スチレン−イソプレン−ブタジエンゴムから選択される少なくとも１種のジエンゴムが７０から９５重量部で３０℃から６０℃の範囲に第一融点および７０℃から１３０℃の範囲に第二融点を有するトランス１，４−ポリブタジエンが５から３０重量部のブレンド物で構成されるゴム組成物。
【請求項２】
請求項１記載のゴム組成物で構成されるゴム構成要素を有するゴムタイヤ。
【発明の詳細な説明】
【０００１】
【発明の分野】
本発明は高トランス−１，４−ポリブタジエン類を含有させることで加工性を改良したゴム組成物に関する。
【０００２】
【発明の背景】
多様な触媒系を用いて高トランス−１，４−ポリブタジエン類が製造されてきた。２つの異なった融点を有する高トランス−１，４−ポリブタジエンの製造で特定の触媒系が用いられた。Ｓａｎｄｓｔｏｒｍ他の米国特許第５，１７４，８３８号には、トランス１，４−含有量が７５％から８５％で１，２−含有量が１２％から１８％でシス１，４−含有量が３から約８％のトランス１，４−ポリブタジエンゴムの製造でコバルトを基とする触媒が開示されており、このゴムは未硬化状態で約３５℃から約４５℃の範囲に主要な融点を有しそして約５５℃から約６５℃の範囲に２番目の主要でない融点を有する。Ｐａｔｔｅｒｓｏｎ他の米国特許第５，０３７，９１２号には、トランス異性体含有量が約８０％から約９０％で２つの異なった融点、即ち約６０℃から約８０℃に第一融点と約１３５℃から約１５５℃に第二融点を有するトランス１，４−ポリブタジエンの合成方法で有機リチウムとアルカリ金属アルコキサイドの触媒が開示されている。
【０００３】
Ｊｅｎｋｉｎｓの米国特許第４，６１９，９８２号には、高トランスポリジエンポリマー類の製造で希土類元素の化合物と有機マグネシウム化合物を用いることが示されている。
【０００４】
タイヤ踏み面用ゴムコンパンドを含む種々の用途でトランス１，４−ポリブタジエンを用いることが示されており、この目的には、米国特許第５，１７４，８３８号、米国特許第４，５１０，２９１号および特開平３−６５８２５号に開示されているように、ゴム混合物の生強度を高めることが含まれる。
【０００５】
高トランス１，４−ポリブタジエンは、一般に、これの未硬化状態において室温で高い結晶性を示すことから、ゴムよりはむしろ熱可塑性樹脂であると見なされる。高トランス１，４−ポリブタジエンは、これのバックボーンの中に二重結合を数多く有することから、天然ゴムおよび高シス−ポリブタジエンなどの如きエラストマー類と一緒に容易にブレンドされそして共硬化を受ける。
【０００６】
発明の要約
３０℃から６０℃の範囲および７０℃から１３０℃の範囲に２つの異なった融点を有していてトランス−１，４付加含有量が高い（８０から９５％の）ジエンポリマー類は、コンパンドのムーニー粘度を低くしかつ種々のコンパンドストックの収縮率を低くすることで、加工性を改良するタイヤゴム用添加剤として用いられる。
【０００７】
【好適な態様の説明】
ゴム１００重量部を基準にして、（ａ）約７０から約９９、好適には約８５から約９５重量部の、天然ゴム、シス−１，４−ポリイソプレンゴム、シス−１，４−ポリブタジエンゴム、スチレン／ブタジエンコポリマーゴム、スチレン／イソプレン／ブタジエンターポリマーゴムおよび３，４−ポリイソプレンゴムから選択される少なくとも１種のジエンゴムと（ｂ）約１から約３０、好適には約５から約１５重量部の、トランス１，４含有量が少なくとも約８０％であることを特徴とするトランス１，４−ポリブタジエン、で構成される硫黄硬化ゴム組成物を提供する。
【０００８】
上記トランス１，４−ポリブタジエンは、これのブタジエン繰り返し単位の８０から９５％、好適には約８６から約９２％がトランス１，４−異性体構造であり、この単位の約６から約８％が１，２−構造でありそしてこの単位の約２から約５％がシス１，４−構造でありそしてこれの未硬化状態で約３０℃から約６０℃、好適には４５℃から約５０℃の範囲に１番目の主要な融点を有しそして約７０℃から１３０℃、好適には７０℃から約１０７℃の範囲に２番目の主要でない融点を有することを特徴とする。
【０００９】
新規な触媒組成物の存在下で１，３−ジエンモノマーを重合させることで、本発明で用いるに有用な高トランス−１，４−ジエンポリマー類を製造する。使用可能な１，３−ジエンモノマー類は共役ジエン類であり、これには１，３−ブタジエン、イソプレン、１，３−ペンタジエンなどが含まれる。好適な１，３−ジエンモノマーは１，３−ブタジエンである。
【００１０】
本発明における触媒系に成分を４種含める：即ち（ａ）カルボキシル化金属オキシボレート、（ｂ）有機アルミニウム化合物、（ｃ）有機燐化合物および（ｄ）カルボン酸を含める。
【００１１】
本発明の触媒組成物の成分（ａ）として用いるカルボキシル化金属オキシボレート化合物は、構造：
【００１２】
【化１】
0003630502.tif 000002
【００１３】
［ここで、ＲおよびＲ’は、炭素原子を１から１７個、好適には炭素原子を７から１７個含むアルキル基であり、そしてＭはニッケルである］
のいずれかで表される化合物である。特定の場合として、Ｒが７未満の化合物は炭化水素溶媒への溶解度が不足していることからこれの使用はあまり好適ではないがこのような化合物も使用可能であることを注目すべきである。それにも拘らず、特定の溶媒混合物を用いるならば上記化合物を利用することも可能である。便利さの目的で、上記化合物は簡潔化した式（ＲＣＯＯＭＯ）３Ｂまたは（ＲＣＯＯＭＯ）２ＢＯＲ’［式中、Ｒ、Ｒ’およびＭは上で定義した通りである］で表示可能である。
【００１４】
上記カルボキシル化金属オキシボレート化合物、例えばカルボキシル化ニッケルボレートなどは、本技術分野で知られている方法、例えば米国特許第３，２９６，２４２号（これの開示は引用することによって本明細書に組み入れられる）の中に詳述されているように、カルボン酸のニッケル塩とホウ素のアルコキサイドを反応させることなどで製造可能である。本発明の触媒組成物で用いる最も好適なカルボキシル化金属オキシボレート化合物は、式（ＲＣＯＯＭＯ）３Ｂ［式中、ＭはニッケルでありそしてＲは炭素原子を７から１１個有するアルキル基である］で表される化合物である。また、便利さの目的で、本発明のカルボキシル化金属オキシボレート化合物を本明細書の以下で簡単にホウ酸ニッケルと呼び、これを本実施例では省略形ＮｉＯＢで表示する。
【００１５】
Ｋａｎｇ他の米国特許第４，５６２，１７２号において高シス−１，４−ポリブタジエンポリマー類を製造する時の重合触媒成分として本発明のカルボキシル化ニッケルボレート化合物を用いたことをこの時点で注目すべきである。
【００１６】
本明細書で用いる如き「有機アルミニウム化合物」は、式：
【００１７】
【化２】
0003630502.tif 000003
【００１８】
［式中、Ｒ１は、アルキル（シクロアルキルを含む）、アリール、アルカリール、アリールアルキル、アルコキシ、フッ素および水素から成る群から選択され、そしてＲ２およびＲ３は、アルキル（シクロアルキルを含む）、アリール、アルカリールおよびアリールアルキルから成る群から選択される］
に相当する有機アルミニウム化合物を指す。
【００１９】
利用可能な上記式に相当する化合物の説明的例には、ジエチルアルミニウムフルオライド、ジ−ｎ−プロピルアルミニウムフルオライド、ジ−ｎ−ブチルアルミニウムフルオライド、ジイソブチルアルミニウムフルオライド、ジオクチルアルミニウムフルオライド、ジフェニルアルミニウムフルオライド、トリメチルアルミニウム、トリエチルアルミニウム、トリ−ｎ−プロピルアルミニウム、トリイソプロピルアルミニウム、トリ−ｎ−ブチルアルミニウム、トリイソブチルアルミニウム、トリペンチルアルミニウム、トリヘキシルアルミニウム、トリシクロヘキシルアルミニウム、トリオクチルアルミニウム、トリフェニルアルミニウム、トリ−ｐ−トリルアルミニウム、トリベンジルアルミニウム、エチルジフェニルアルミニウム、エチルジ−ｐ−トリルアルミニウム、エチルジベンジルアルミニウム、ジエチルフェニルアルミニウム、ジエチルｐ−トリルアルミニウム、ジエチルベンジルアルミニウムおよび他のトリオルガノアルミニウム化合物が含まれる。また、ジアルキルアルミニウムアルコキサイド類、例えばジエチルアルミニウムエトキサイド、ジイソブチルアルミニウムエトキサイド、ジプロピルアルミニウムメトキサイドなども含まれる。また、上記有機アルミニウム化合物の水素化物も利用可能であり、これらには水素化ジエチルアルミニウム、水素化ジ−ｎ−プロピルアルミニウム、水素化ジ−ｎ−ブチルアルミニウム、水素化ジ−イソブチルアルミニウム、水素化ジフェニルアルミニウム、水素化ジ−ｐ−トリルアルミニウム、水素化ジベンジルアルミニウム、水素化フェニルエチルアルミニウム、水素化フェニルｎ−プロピルアルミニウム、水素化ｐ−トリルエチルアルミニウム、水素化ｐ−トリルｎ−プロピルアルミニウム、水素化ｐ−トリルイソプロピルアルミニウム、水素化ベンジルエチルアルミニウム、水素化ベンジルｎ−プロピルアルミニウムおよび水素化ベンジルイソプロピルアルミニウムなどが含まれる。
【００２０】
好適な有機アルミニウム化合物はトリアルキルアルミニウム化合物、例えばトリメチルアルミニウム、トリエチルアルミニウム、トリ−ｎ−プロピルアルミニウム、トリ−ｎ−ブチルアルミニウム、トリイソブチルアルミニウム、トリオクチルアルミニウムなどであり、これらの中でトリイソブチルアルミニウムが特に好適である。
【００２１】
この触媒系の成分（ｃ）として用いるに有用な有機燐化合物は、式（ＡｒＯ）３Ｐ［式中、Ａｒは置換もしくは未置換のアリール基である］に相当する。この置換および未置換アリール基は、典型的には炭素原子を６から２０個有する芳香族炭化水素であり、これには、任意に反応性を示さない置換基、例えばＣ１−Ｃ６アルキル基またはアルコキシ基（これらの基は４−ブチルフェニル、トリル、４−ブトキシフェニル、メトキシフェニルなどを形成する）などを有していてもよいフェニルまたはナフチル基などが含まれる。本触媒系で用いるに好適な有機燐化合物はトリフェニルホスファイトである。
【００２２】
この触媒組成物の成分（ｄ）として本発明で用いるに有用なカルボン酸含有化合物には、カルボン酸およびフッ素置換カルボン酸が含まれる。適切なカルボン酸には、Ｃ２−Ｃ１２脂肪族およびＣ６−Ｃ１８芳香族カルボン酸（これは酢酸、プロピオン酸、酪酸、デカン酸、安息香酸などを包含する）に加えてＣ２−Ｃ１８ジカルボン酸（これはテレフタル酸、イソフタル酸、しゅう酸などを包含する）が含まれる。この触媒系で成分（ｄ）として用いるに好適なカルボン酸はフッ素置換カルボン酸である。このフッ素置換カルボン酸は部分的または完全にフッ素置換されていてもよく、好適には完全にフッ素置換されている。適切なフッ素置換カルボン酸には、これらに限定するものでないが、フルオロ酢酸、ジフルオロ酢酸、トリフルオロ酢酸に加えてフッ素置換基を有する上記カルボン酸のいずれもが含まれる。成分（ｄ）として用いるに好適な化合物はトリフルオロ酢酸である。
【００２３】
上記４種の触媒成分が相互作用して活性触媒を形成する。従って、１つの如何なる成分に関する最適濃度もその他の成分各々の濃度に依存する。本発明の触媒系で１，３−ジエンモノマーを重合させてジエンポリマーを生じさせる場合、幅広い範囲の触媒成分濃度を利用してこれを実施することができる。従って、触媒成分ａ、ｂ、ｃおよびｄ（上に定義した）のモル比は好適には下記の如くである：ａ：ｂは約１：１から１：７０、好適には１：１から１：２０の範囲であり、ａ：ｃは約１：０．１から１：１０の範囲であり、そしてａ：ｄは１：１から約１：７０、好適には１：１から約１：２０の範囲である。ａ：ｂ：ｃ：ｄの好適なモル比は１：１．５：１：１．５から１：１５：１：１５である。
【００２４】
上記４種の触媒成分をいくつかの方法で重合系に導入することができる。このように、この４種の触媒成分を段階的にか或は同時様式で１，３−ジエンの溶液に仕込んでもよく、通常これは重合技術で「インサイチュー」触媒仕込み手順と呼ばれる。また別法として、触媒成分の全部を、少量の１，３−ジエンモノマーの存在下、不活性希釈剤中で混合した後、この完成したブレンド物を重合系の中に添加する手順を用いて、重合系の外側で触媒を調製することも可能である。
【００２５】
本発明の方法で用いる全触媒組成物の濃度はかなり変化させることが可能であり、これは純度、望まれる重合速度、温度などの要因に依存する。従って、上記濃度は触媒有効量であると述べる以外、触媒組成物の全濃度を特定して挙げることはできない。一般的には、０．０５から１０ｍＭ  ｐｈｇｍの範囲の量でＮｉＯＢ触媒を用いる。この上に挙げた比率で残りの触媒成分を用いる。望まれる特性を有するポリブタジエンポリマー類をもたらす特定濃度および比率をいくつか以下の実施例に示す。
【００２６】
不活性な炭化水素溶媒中で本発明の重合を実施する結果としてこれは溶液重合である。この言葉「不活性な溶媒」は、この溶媒がその結果として生じるポリマーの構造の中に入り込まないこと、この生じるポリマーの特性に悪影響を与えないこと、そして用いる触媒の活性に悪影響を与えないことを意味する。用いることができる適切な炭化水素溶媒には、脂肪族、芳香族または環状脂肪族炭化水素、例えばヘキサン、ペンタン、トルエン、ベンゼン、シクロヘキサンなどが含まれる。好適な炭化水素溶媒は脂肪族炭化水素であり、上記溶媒の中でヘキサンが特に好適である。
【００２７】
不活性雰囲気、例えば窒素雰囲気下などで本発明の重合を実施すべきであり、そして触媒成分を失活させる可能性のある材料、例えば水および空気などを排除する予防策を取るべきである。
【００２８】
この重合で用いる温度は決定的でなく、約０℃から約１５０℃の範囲であってもよい。好適な重合温度は約２５℃から約１３０℃の範囲であり得る。本発明の触媒組成物は大部分の従来技術触媒系で今まで実際に例示されてきた温度より高い重合温度をより堅実に使用することを可能にすることを注目すべきである。
【００２９】
よく知られている様式で少量の低級アルコール、例えばメタノールなどと抗酸化剤、例えばジ−ｔ−ブチルクレゾールなどを添加することで重合を停止させることができる。
【００３０】
いずれかの公知様式、例えば過剰量のメタノールまたは他の低級アルカノール中で凝固させることなどで、このジエンポリマー生成物を溶液から回収することができる。いずれかの便利な方法、例えば真空乾燥、ドラム乾燥、押出し機乾燥などを用いて、このポリマー生成物の乾燥を行うことができる。
【００３１】
本発明の方法で製造した結晶性ジエンポリマー類は２つの異なった融点を有すると共に高いトランス−１，４付加含有量を有する。第一融点（Ｔｍ１）は３０℃から６０℃、好適には４５℃から５０℃の範囲にありそして第二融点（Ｔｍ２）は７０℃から１３０℃、好適には７０℃から１０７℃の範囲にある。この第二融点（Ｔｍ２）は重合温度で調節されるが、第一融点（Ｔｍ１）は如何なる重合温度でも常に３０℃から６０℃の範囲である。本発明に従って製造したジエンポリマー類のトランス−１，４付加含有量は８０から９５％、好適には約８８％から約９２％である。
【００３２】
本発明の方法に従って製造した結晶性の高トランスジエンポリマー類は、好適には８８％から９２％が１，４−トランス単位で２％から５％がシス単位で６％から８％がビニル単位であるミクロ構造を有する。この結晶性ジエンポリマー類は、ダンプ（ｄｕｍｐ）温度を低くし、コンパンドのムーニー粘度を低くしそして多様なコンパンドストックの収縮率を低くすることで、ゴムコンパンドの加工性を改良する天然および合成ゴム用添加剤として用いるに有用である。
【００３３】
本発明に従って製造した結晶性の高トランス−１，４ポリブタジエンポリマー類を典型的には１から３０重量％、好適には５から１５重量％の範囲の量で天然ゴムおよび合成ゴムに添加する。
【００３４】
本発明の特徴を更に説明する目的で以下の実施例を示し、これは本発明の範囲に対する制限として見なされるべきでない。本実施例に示す部およびパーセントは特に明記しない限り重量である。
【００３５】
【実施例】
実施例Ａ
温度計、撹拌機、加熱手段、圧力手段の入り口および出口を取り付けた２ガロンのステンレス鋼製反応槽を窒素雰囲気下に維持しながら、これに、１，３−ブタジエンが７６８グラム入っているブタジエン／ヘキサンブレンド物（モノマー濃度２１．７％）を３５３８グラム、ニッケルボロアシレートを２．４ｍＬ（３０ｍＬの乾燥ヘキサンに入れて）（ヘキサン中０．０８モル規定の溶液）、トリイソブチルアルミニウムを２５ｍＬ（ヘキサン中０．７７モル規定の溶液）、そして３０ｍＬの乾燥ヘキサンに入れた１モルの三フッ化ホウ素と２モルのｎ−ヘキサノールの錯体（５．２ｍＬ）を仕込んだ。このニッケルボロアシレートとトリイソブチルアルミニウムの比率は約１：１００であった。次に、重合を７０℃で９０分間実施した。その結果として生じるポリマーセメント状物を、半ガロンのヘキサン、抗酸化剤およびショートストッパー（ｓｈｏｒｔ  ｓｔｏｐｐｅｒ）が入っている５ガロンのバケツ（ポリエチレンライナーを取り付けた）の中に滴下した。このヘキサンで希釈したセメント状物の脱溶媒を蒸気を用いて行った後、オーブン乾燥を８０℃で行った。モノマーからポリマーへの変換率は９０．１％であった。この得られたポリマー（サンプルＡ）の物性を以下に記述する。このポリマーを比較試験で用いると共に、結晶性高トランスＢＲとのゴムブレンド物への組み込みで用いた。
【００３６】
0003630502.tif 000004
実施例１−６
この試験で用いた材料は、天然ゴム（ＮＲ）／高シスポリブタジエンゴム（ＢＲ）（５０：５０）のゴムブレンド物を部分的に結晶性高トランスＢＲで置き換えたゴムブレンドであった。結晶性高トランスＢＲは４６℃と１０６℃に２つの融点を有する。このポリマー樹脂のミクロ構造は９３．４％が１，４−トランスで１．５％が１，４−シスで５．５％が１，２である。このポリマーのＭｎは４４，０００でありそしてＭｗ／Ｍｎは１．２０である。以下の表１に示すコンパンド化処方に従ってゴム組成物を調製した。実施例１から３は比較実施例である一方、実施例４から６は本発明のブレンド物を示す。
【００３７】
0003630502.tif 000005
ゴム組成物の硬化を１４５℃で２５分間行うことで試験片を調製した。その結果を以下の表２に示す。
【００３８】
0003630502.tif 000006
0003630502.tif 000007
実施例Ｂ
ゴムライナーおよび３穴クラウンキャップを取り付けた２８オンスの飲料用ボトル５個に精製Ｂｄ／ヘキサンブレンド物（１，３−ブタジエン２４．７重量パーセント）を２７０グラム仕込んだ。次に、各ボトルに以下の順で触媒成分を仕込んだ：（１）ヘキサン中のニッケルボロアシレート（以後ＮｉＯＢ）（ヘキサン中０．８２５モル規定溶液）；（２）ヘキサン中のトリイソブチルアルミニウム（以後ＴＩＢＡＬ）（２０重量％）；（３）トリフェニルホスファイト（以後ＴＰＰ）（混ぜものなし）およびトリフルオロ酢酸（以後ＴＦＡ）。ＴＰＰとＮｉのモル比を変化させた。触媒成分の添加が終了した後、重合を水浴中３つの異なる温度（３０、５０および８０℃）で１６時間行った。少量のイソプロパノールおよび抗酸化剤を用いて重合を停止させた。その結果として生じるポリマーを過剰量のイソプロパノールで凝固させた後、濾過を行うことで、ポリマーの回収を行った。この樹脂状ポリマーの乾燥を真空下５０℃で行った。この重合で用いた種々の触媒成分の重量およびモル比、重量条件およびポリマー特性を表３に実施例Ｂ−１からＢ−５として示す。
【００３９】
0003630502.tif 000008
0003630502.tif 000009
実施例７−１２
サンプルＡを高シスブタジエンまたは高シスブタジエンと高トランスブタジエンの組み合わせで置き換える以外は実施例３の一般的手順を繰り返した。サンプルＢは９６．０％がシスで２．４％がトランスで１．６％がビニルの高シスＢＲであり、これのＭｎは９４，０００でＭｗ／Ｍｎは５．２５であった。１００℃におけるムーニーＭＬ１＋４は４９であった。本発明における実施例１１および１２で用いた調製したままのＮｉＯＢ触媒使用結晶性高トランスＢＲ（実施例Ｂ−５）のミクロ構造は、９０．７％が１，４−トランスで２．８％が１，４−シスで６．５％が１，２である。このポリマーの融点は４４．１℃と９６．９℃であった。その結果として得られるポリマーブレンド物の物性を表４に示す。
【００４０】
0003630502.tif 000010
0003630502.tif 000011
本発明の特徴および態様は以下のとおりである。
【００４１】
１．  天然ゴム、シス１，４−ポリイソプレンゴム、スチレン−ブタジエンコポリマーゴム、スチレン−イソプレン−ブタジエンゴムから選択される少なくとも１種のジエンゴムが７０から９５重量部で３０℃から６０℃の範囲に第一融点および７０℃から１３０℃の範囲に第二融点を有するトランス１，４−ポリブタジエンが５から３０重量部のブレンド物で構成されるゴム組成物。
【００４２】
２．  該トランス１，４−ポリブタジエンが８０から９５％のトランス含有量を有する第１項記載のゴム組成物。
【００４３】
３．  該トランス１，４−ポリブタジエンが約８８％から約９２％のいろいろなトランス含有量を有する第１項記載のゴム組成物。
【００４４】
４．  該第一融点が４５℃から５０℃の範囲にありそして該第二融点が７０℃から１０７℃の範囲にある第１項記載のゴム組成物。
【００４５】
５．  第１項記載のゴム組成物で構成されるゴム構成要素を有するゴムタイヤ。